(57)【要約】【課題】箱本体の取り付け孔に容易に電気部品を装着するカセットブロックを取り付けることができる電気接続箱を提供する。【解決手段】電気接続箱１は箱本体２とカセットブロック３とリレー４と端子金具５とリブ６を備えている。箱本体２には取り付け孔８が設けられている。カセットブロック３の表面３ａから凹の溝１１が設けられている。リレー４はカセットブロック３の表面３ａに取り付けられる。端子金具５はカセットブロック３内に収容される。リブ６の両端は取り付け孔８の互いに相対する内壁面８ａに連なっている。カセットブロック３は箱本体２の取り付け孔８内に収容される。リブ６は溝１１内に侵入する。【選択図】図２
2005269860.tif 000002
【特許請求の範囲】
【請求項１】
箱本体と、
この箱本体に設けられた取り付け孔内に収容されるカセットブロックと、
両端が、前記取り付け孔の互いに相対する内壁面に連なるリブと、を備えたことを特徴とする電気接続箱。
【請求項２】
前記カセットブロックに取り付けられる電気部品を複数備え、
前記リブは、前記カセットブロックに取り付けられる複数の電気部品のうち互いに隣り合う電気部品間に対応する位置に配されたことを特徴とする請求項１記載の電気接続箱。
【請求項３】
前記カセットブロックに設けられ、このカセットブロックが箱本体に取り付けられると、前記リブが侵入する溝を備えたことを特徴とする請求項１又は請求項２記載の電気接続箱。
【請求項４】
前記溝を、前記カセットブロックの表面に形成したことを特徴とする請求項３記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、この箱本体に取り付けられる電装ブロックなどを備えている。箱本体は、箱状に形成されている。電装ブロックは、前記箱本体に取り付けられるヒューズ、リレーなどの電気部品と、電線の端末に取り付けられた端子金具とを備えている。
【０００６】
端子金具は、前述した箱本体に取り付けられて、この箱本体に取り付けられた電気部品の端子と、電気的及び機械的に接続する。前記端子金具は、電線と電気部品とを電気的に接続する。端子金具に取り付けられた電線は、前述した電子機器と接続している。前述した構成の電気接続箱は、端子金具が取り付けられた電線と、前述したリレーやヒューズなどの電気部品とを予め定められるパターンにしたがって、電気的に接続する。
【０００７】
前述した電気接続箱は、電線が取り付けられた電気部品としての端子金具と、前述したリレーやヒューズなどの電気部品とが、一つずつ箱本体に取り付けられて、組み立てられる。このため、組立にかかる手間及び工数が増加する傾向であった。
【０００８】
この種の問題を解決するために、前述した箱本体に着脱自在なカセットブロックを設け、このカセットブロックに前述した端子金具やリレー、ヒューズなどを装着する電気接続箱（例えば、特許文献１参照）が提案されている。この特許文献１などに記載された電気接続箱は、カセットブロックに端子金具やリレー、ヒューズなどの電気部品を装着し、このカセットブロックを箱本体に取り付けることで、前述した端子金具やリレー、ヒューズなどの電気部品を一括して、箱本体に装着することを可能としている。こうすることで、特許文献１などに記載された電気接続箱は、組立にかかる手間及び工数を抑制している。
【特許文献１】特開平９-２８４９２１号公報
【発明の開示】
【発明が解決しようとする課題】
【０００９】
前述した特許文献１に示された電気接続箱の箱本体には、前述したカセットブロックを収容する取り付け孔が設けられている。箱本体は、絶縁性の合成樹脂からなり、周知の射出成形などにより成形される。前述した取り付け孔は、箱本体を構成する複数の壁により囲まれて形成されている。
【００１０】
このため、前述した箱本体は、前述したカセットブロックに取り付けられる電気部品が増加したり、電気部品が大型化すると、カセットブロックを収容する取り付け孔を設けているため、剛性が低下する傾向であった。このため、取り付け孔内にカセットブロックを挿入する際に、箱本体が歪んでしまい、取り付け孔内にカセットブロックを挿入しづらくなることがあった。
【００１１】
また、前述した箱本体は、合成樹脂からなり、周知の射出成形などにより成形されるので、射出時又は型から取り外す際などに、歪んでしまうことがあった。この場合も、勿論、取り付け孔内にカセットブロックを挿入しづらくなる。
【００１２】
したがって、本発明の目的は、箱本体の取り付け孔に容易に電気部品を装着するカセットブロックを取り付けることができる電気接続箱を提供することにある。
【課題を解決するための手段】
【００１３】
前記課題を解決し目的を達成するために、請求項１に記載の本発明の電気接続箱は、箱本体と、この箱本体に設けられた取り付け孔内に収容されるカセットブロックと、両端が、前記取り付け孔の互いに相対する内壁面に連なるリブと、を備えたことを特徴としている。
【００１４】
請求項２に記載の本発明の電気接続箱は、請求項１記載の電気接続箱において、前記カセットブロックに取り付けられる電気部品を複数備え、前記リブは、前記カセットブロックに取り付けられる複数の電気部品のうち互いに隣り合う電気部品間に対応する位置に配されたことを特徴としている。
【００１５】
請求項３に記載の本発明の電気接続箱は、請求項１又は請求項２記載の電気接続箱において、前記カセットブロックに設けられ、このカセットブロックが箱本体に取り付けられると、前記リブが侵入する溝を備えたことを特徴としている。
【００１６】
請求項４に記載の本発明の電気接続箱は、請求項３に記載の電気接続箱において、前記溝を、前記カセットブロックの表面に形成したことを特徴としている。
【００１７】
請求項１に記載した本発明の電気接続箱によれば、カセットブロックを取り付ける取り付け孔の互いに相対する内壁面にリブの両端が連なっている。このため、取り付け孔の互いに相対する内壁面同士に掛け渡されたリブが設けられている。このため、取り付け孔即ち箱本体の剛性が向上して歪みにくくなるとともに、成型時などに取り付け孔即ち箱本体が歪みにくくなる。
【００１８】
請求項２に記載した本発明の電気接続箱によれば、リブが、互いに隣り合う電気部品間に相当する位置に設けられている。このため、リブとカセットブロックに取り付けられる電気部品とが干渉することを防止できる。
【００１９】
請求項３に記載した本発明の電気接続箱によれば、カセットブロックにリブが侵入する溝が設けられている。このため、リブが溝内に侵入することで、カセットブロックが取り付けられた後に箱本体即ち電気接続箱が歪むことを防止できる。また、リブが溝内に侵入することで、箱本体即ち電気接続箱の小型化を図ることができる。
【００２０】
請求項４に記載した本発明の電気接続箱によれば、溝をカセットブロックの表面から凹に形成しているので、カセットブロックに他の電気部品を装着した後、確実に箱本体に取り付けることができる。
【発明の効果】
【００２１】
以上説明したように請求項１に記載の本発明は、取り付け孔即ち箱本体の剛性が向上して歪みにくくなるとともに、成型時などに取り付け孔即ち箱本体が歪みにくくなる。このように、箱本体が歪みにくくなるので、容易に電気部品を装着するカセットブロックを取り付け孔内に取り付けることができる。
【００２２】
請求項２に記載の本発明は、リブが互いに隣り合う電気部品間に相当する位置に設けられて、リブとカセットブロックに取り付けられる電気部品とが干渉することを防止できる。このため、容易にカセットブロックを取り付け孔内に取り付けることができることにくわえ、取り付け孔即ち箱本体の小型化を図ることができる。
【００２３】
請求項３に記載の本発明は、リブが溝内に侵入することで、容易にカセットブロックを取り付け孔内に取り付けることができることにくわえ、カセットブロックが取り付けられた後に箱本体即ち電気接続箱が歪むことを防止できる。また、リブが溝内に侵入することで、箱本体即ち電気接続箱の小型化を図ることができる。
【００２４】
請求項４に記載の本発明は、カセットブロックに他の電気部品を装着した後、確実に箱本体に取り付けることができるので、組立にかかる手間及び工数を確実に抑制でき、容易に組み立てることができる。
【発明を実施するための最良の形態】
【００２５】
以下、本発明の一実施形態にかかる電気接続箱を図１ないし図４に基づいて説明する。本実施形態にかかる図１に示す電気接続箱１は、移動体としての自動車に搭載される。電気接続箱１は、図１及び図２に示すように、箱本体２と、カセットブロック３と、複数のリレー４と、複数の端子金具５（図２のみ示し、この図２には一つのみ示す）と、複数のリブ６と、を備えている。
【００２６】
箱本体２は、絶縁性の合成樹脂からなり、周知の射出成形により成形される。箱本体２は、複数の外壁７により、筒状（箱状）に形成されている。箱本体２には、取り付け孔８が設けられている。取り付け孔８は、箱本体２を構成する複数の外壁７によって囲まれた空間である。取り付け孔８の図１及び図２では上下に位置する両端は、開口している。このため、箱本体２は、筒状（枠状）に形成されている。また、箱本体２の取り付け孔８の内面には、カセットブロック３の後述する係止部１０が係止する図示しない係止受け部が設けられている。
【００２７】
カセットブロック３は、前記取り付け孔８内に収容可能な大きさの箱状に形成されている。カセットブロック３は、取り付け孔８の図１及び図２中の下方側の開口を通して、この取り付け孔８内に挿入される。カセットブロック３には、複数の端子収容室９と、複数の係止部１０とが設けられている。端子収容室９は、カセットブロック３内に設けられた直線状の空間である。端子収容室９の長手方向は、互いに平行に設けられ、カセットブロック３が取り付け孔８内に挿入される方向に沿っている。端子収容室９の図１及び図２中に上下に位置する両端は、開口している。
【００２８】
係止部１０は、カセットブロック３の外表面から凸に形成されており、前述した箱本体２に設けられた係止受け部に係止する。カセットブロック３は、前述した開口を通して、取り付け孔８内に挿入される。そして、カセットブロック３は、係止部１０が係止受け部に係止して、図３に示すように、箱本体２に固定される。こうして、カセットブロック３は、取り付け孔８内に収容された状態で、箱本体２に固定される。
【００２９】
また、箱本体２の取り付け孔８内に挿入される際に、カセットブロック３の箱本体２に相対する即ち箱本体２寄りの表面３ａには、図２に示すように、溝１１が設けられている。溝１１は、カセットブロック３の表面３ａから凹に形成されており、直線状に延びている。溝１１は、図示例では、二つ即ちリブ６と同数設けられている。二つの溝１１は、互いに平行に設けられている。溝１１は、カセットブロック３が、前述した開口を通して、取り付け孔８内に挿入されると、リブ６が内側に侵入する。
【００３０】
リレー４は、図示例では、三つ設けられている、リレー４は、カセットブロック３の図１及び図２では上側に位置する表面３ａに取り付けられる。前述したリレー４は、本明細書に記した電気部品をなしている。
【００３１】
端子金具５は、導電性の板金からなり、図２に示すように、電線接続部１２と、電気接触部１３とを一体に備えている。電線接続部１２は、電線１４が取り付けられて、この電線１４の芯線と電気的及び機械的に接続する。電線１４は、導電性の芯線と、絶縁性の被覆部とを備えた所謂被覆電線である。芯線は、複数の素線が撚り合わされて構成されている。各素線は、導電性の金属からなる。被覆部は、絶縁性の合成樹脂からなり、芯線を被覆している。
【００３２】
電気接触部１３は、端子金具５がカセットブロック３に取り付けられ、このカセットブロック３が箱本体２に取り付けられると、リレー４の図示しない端子に取り付けられる。電気接触部１３は、リレー４の図示しない端子と電気的及び機械的に接続する。
【００３３】
前述した構成の端子金具５は、電線接続部１２に電線１４が取り付けられた状態で、端子収容室９の図１及び図２中の下方側の開口を通して、この端子収容室９内に挿入される。端子金具５は、端子収容室９内に収容された状態で、箱本体２に固定される。なお、端子金具５は、端子収容室９内に収容され、カセットブロック３が箱本体２に取り付けられると、前記端子収容室９の箱本体２寄りに電気接触部１３を位置付け、箱本体２から離れた側に電線接続部１２を位置付ける。前述した端子金具５は、本明細書に記した他の電気部品をなしている。
【００３４】
リブ６は、直線状に延びた棒状に形成されており、両端が取り付け孔８の互いに相対する内壁面８ａに連なっている。リブ６は、カセットブロック３が箱本体２に取り付けられると、カセットブロック３に取り付けられる複数のリレー４のうち互いに隣り合うリレー４間に設けられている。このことを、本明細書では、リブ６が、複数のリレー４のうち互いに隣り合うリレー４間に対応する位置に配されているという。
【００３５】
また、リブ６は、両端が箱本体２の長手方向に直交（交差）する幅方向に沿って相対する内壁面８ａに連なっている。このため、リブ６の長手方向は、箱本体２の幅方向に沿っている。こうして、リブ６は、取り付け孔８の内壁面８ａ間に掛け渡されている。また、リブ６は、箱本体２にカセットブロック３を取り付ける際に、取り付け孔８の内壁面８ａのカセットブロック３から離れた側の縁部に設けられている。
【００３６】
前述した構成の電気接続箱１は、以下のように組み立てられる。まず、各端子金具５の電線接続部１２に電線１４が取り付けられる。そして、端子金具５は、前述した開口を通して端子収容室９内に挿入される。カセットブロック３が箱本体２に取り付けられる際に、端子収容室９の箱本体２寄りに電気接触部１３が位置し、端子収容室９の箱本体２から離れた側に電線接続部１２が位置している。こうして、端子金具５を所定の端子収容室９内に挿入する。
【００３７】
そして、図４（ａ）に示すように、カセットブロック３を取り付け孔８の前述した開口に相対させた後、図４（ｂ）に示すように、この開口を通して徐々に取り付け孔８内に挿入する。すると、リブ６が、徐々に溝１１内に侵入していく。そして、係止部１０が箱本体２の係止受け部に係止し、図４（ｃ）に示すように、リブ６が溝１１内に侵入して、カセットブロック３は、箱本体２に固定される。
【００３８】
そして、カセットブロック３の表面３ａに各リレー４を取り付ける、すると、リレー４の端子は、前述した端子金具５の電気接触部１３と電気的及び機械的に接続する。こうして、前述した端子金具５などを介して、前述した電気接続箱１は、リレー４と電線１４とを互いに予め定められたパターンにしたがって、電気的に接続する。
【００３９】
電気接続箱１は、電線１４の外周にテープ１５（図１に示す）などが巻かれ、図示しない防水ケース内に収容された格好で、自動車の車体を構成するパネルなどに固定される。前述した電線１４は、自動車などに搭載される多種多様な電子機器と接続される。こうして、電気接続箱１は、前述した自動車などに搭載されて、この自動車に搭載される多種多様な電子機器と、リレー４とを、予め定められるパターンにしたがって電気的に接続する。
【００４０】
本実施形態によれば、カセットブロック３を取り付ける取り付け孔８の互いに相対する内壁面８ａにリブ６の両端が連なっている。このため、取り付け孔８の互いに相対する内壁面８ａ同士に掛け渡されたリブ６が設けられている。このため、取り付け孔８即ち箱本体２の剛性が向上して歪みにくくなるとともに、成型時などに取り付け孔８即ち箱本体２が歪みにくくなる。このように、箱本体２が歪みにくくなるので、容易にリレー４を装着するカセットブロック３を取り付け孔８内に取り付けることができる。
【００４１】
リブ６が、互いに隣り合う電気部品としてのリレー４間に相当する位置に設けられている。このため、リブ６とカセットブロック３に取り付けられる電気部品としてのリレー４とが干渉することを防止できる。このため、容易にカセットブロック３を取り付け孔８内に取り付けることができることにくわえ、取り付け孔８即ち箱本体２の小型化を図ることができる。
【００４２】
カセットブロック３にリブ６が侵入する溝１１が設けられている。このため、リブ６が溝１１内に侵入することで、カセットブロック３が取り付けられた後に箱本体２即ち電気接続箱１が歪むことを防止できる。また、リブ６が溝１１内に侵入することで、取り付け孔８内にカセットブロック３を挿入する方向に沿った箱本体２即ち電気接続箱１の厚みを抑制できる。即ち、箱本体２即ち電気接続箱１の小型化を図ることができる。
【００４３】
溝１１をカセットブロック３の表面３ａから凹に形成しているので、カセットブロック３に他の電気部品としての端子金具５を装着した後、確実に箱本体２に取り付けることができる。このため、電気接続箱１の組立にかかる手間及び工数を確実に抑制でき、容易に電気接続箱１を組み立てることができる。
【００４４】
前述した実施形態では、カセットブロック３に電気部品としてリレー４を取り付ける場合を示している。しかしながら、本発明では、カセットブロック３にヒューズやヒュージブルリンクなどの他の電気部品を取り付けてもよい。
【００４５】
また、前述した実施形態では、カセットブロック３の表面３ａに溝１１を設けている。しかしながら、本発明では、カセットブロック３の表面３ａに溝１１を設けなくても良い。さらに、前述した実施形態では、リブ６をカセットブロック３に取り付けられる互いに隣り合うリレー４間に配している。しかしながら、本発明では、リブ６をカセットブロック３に取り付けられる互いに隣り合うリレー４間に限らず、種々の位置に配しても良い。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施形態に係る電気接続箱の斜視図である。
【図２】図１に示された電気接続箱を分解して示す斜視図である。
【図３】図２に示された電気接続箱の箱本体にカセットブロックを取り付けた状態を示す斜視図である。
【図４】図３に示された箱本体にカセットブロックを取り付ける際に、リブと溝との相対的な位置関係の変化を示す説明図である。
【符号の説明】
【００４８】
１  電気接続箱
２  箱本体
３  カセットブロック
３ａ  表面
４  リレー（電気部品）
６  リブ
８  取り付け孔
８ａ  内壁面
１１  溝
【図１】
2005269860.tif 000003
【図２】
2005269860.tif 000004
【図３】
2005269860.tif 000005
【図４】
2005269860.tif 000006